(57)【要約】【課題】集塵機能を備えた床面艶出機に於いて、パッドカバーとダストボックスの間を結ぶ配管類を極力無くすか、又は、短くして、集塵効率を高める一方、ダストボックスの取外しを極めて容易と成し、且つ、ダストボックスの存在によって発生する運転操作上の障害を無くして、操作性を向上させる。【解決手段】パッド４の回転によって生じたダスト類を、パッド４の回転による旋回気流に乗せてパッドカバー５内よりダストボックス１０に送り込んで集塵し、集塵後の除塵空気をパッドカバー５内に送り戻すように構成した床面艶出機に於いて、ダストボックス１０をパッドカバー５又はパッドカバー５を備えたメインカバー２に対して着脱自在に構成する。【選択図】　　　図１
2004113263.tif 000002
【特許請求の範囲】
【請求項１】
操作ハンドルを押して走行させながらパッドカバー内のパッドをモータで高速回転して床面の艶出しを行い、艶出しによって生じたダスト類を、パッドの回転によって生ずる旋回気流に乗せてパッドカバー内よりダストボックスに送り込んで集塵し、集塵された後の気流を再びパッドカバー内に送り戻すように構成した床面艶出機であって、
上記のダストボックスを、パッドカバー、又は、パッドカバ−を備えた本体カバ−側に対して着脱自在に構成したことを特徴とする集塵機能を備えた床面艶出機。
【請求項２】
前記のパッドカバーに、パッドの回転によって生じる旋回気流をパッドカバーの外側に向けて排出する旋回気流排出口と、上記のダストボックスで集塵された後の除塵空気を回収する除塵空気導入口を設け、且つ、上記のダストボックスには、上記パッドカバーの旋回気流排出口から排出されて来る旋回気流を受け入れる旋回気流受け入れ口と、ダストボックスで集塵された後の除塵空気をパッドカバー内に送り込む除塵空気送出口を設けて、上記のダストボックスをパッドカバー又は本体カバ−側に装着した際に、上記ダストボックスの旋回気流受け入れ口が上記パッドカバーの旋回気流排出口に連通接続し、上記ダストボックスの除塵空気送出口が上記パッドカバーの除塵空気導入口に連通接続するように構成したことを特徴とする請求項１に記載の集塵機能を備えた床面艶出機。
【請求項３】
前記のダストボックスを、断面略円筒状の上部蓋体と下部本体とに分離可能な組立て構造と成し、上記上部蓋体の外周接線部にダスト気流導入筒を連設して、この導入筒の下方に向けて屈曲した先端口を前記の旋回気流受け入れ口と成すと共に、内部をダストの貯留室と成した上記下部本体の中央部に、上下両端部を下部本体の内部と底部の双方に突出開口するパイプ管を縦設して、底部に突出開口したパイプ管の下端口を、前記の除塵空気送出口と成したことを特徴とする請求項１又は２に記載の集塵機能を備えた床面艶出機。
【請求項４】
前記ダストボックスを構成する下部本体の内部に、中央に縦設したパイプ管を中心にしてその放射方向に旋回気流減速用の板片を複数枚設けたことを特徴とする請求項１、２又は３に記載の集塵機能を備えた床面艶出機。
【請求項５】
前記ダストボックスの全部又は一部を、内部が透けて見える素材を用いて構成したことを特徴とする請求項１、２、３又は４に記載の集塵機能を備えた床面艶出機。
【請求項６】
前記パッドカバーを備えた本体カバーの上側部に、前記のダストボックスを嵌込み自在に構成した嵌込室と、前記ダスト気流導入筒の下方に屈曲した旋回気流受け入れ口を嵌込み自在に構成した嵌込部とを凹設して、これ等各嵌込室と嵌込部の底面部に、先端側を前記パッドカバーの除塵空気導入口に連通接続し、根端側には前記ダストボックスの除塵空気送出口を接続自在に構成した除塵空気接続経路の口と、先端側を前記パッドカバーの旋回気流排出口に連通接続し、根端側には前記ダストボックスの旋回気流受け入れ口を接続自在に構成したダスト気流接続経路の口を開口したことを特徴とする請求項１、２、３、４又は５に記載の集塵機能を備えた床面艶出機。
【発明の詳細な説明】
【０００１】
【発明の属する技術分野】
本発明は、操作ハンドルを押して走行させながらパッドをモータで高速回転して床面の艶出しを行う床面艶出機の技術分野に属するものであって、具体的には、パッドを高速回転して艶出しする時に発生するパッド屑や床面上のゴミと云った各種のダストを、周囲に飛散させずに集塵する機能を備えた床面艶出機に関するものである。
【０００２】
【従来の技術】
パッドの高速回転による艶出し時に発生する各種のダストを、周囲に飛散させずに集塵する機能を備えた床面艶出機に付いては、従来より、パッドの高速回転によって生じたダストを、パッドの高速回転によって生じる旋回気流に乗せてパッドカバー内よりダストボックスに送り込むことにより、ダストを遠心分離し、分離した後の気流を再びパッドカバー内に送り戻すように構成したものが存在する。（例えば、特許文献１参照）
【０００３】
【特許文献１】
特開２００２−１４３０６３号公報
【０００４】
【発明が解決しようとする課題】
しかし、上記特許文献１に記載の従来の床面艶出機は、ダストボックスが操作ハンドルの上側部分に取付けられているため、パッドの回転によってパッドカバー内に生じたダスト類を、旋回気流に乗せてダストボックスに送り込む配管（排気パイプ）と、集塵後の除塵空気をパッドカバー内に送り戻す配管（排気パイプ）が長く成って、構造が複雑化すると共に、空気抵抗が増えてダストボックスの集塵効率が低下する。操作ハンドルの操作性を悪くして床面艶出機の運転に影響を及ぼす。ダストボックスの取外しや、集塵ダストの廃棄処理が面倒である。と言った、各種の問題点を有していた。
【０００５】
従って、本発明の技術的課題は、集塵機能を備えた床面艶出機に於いて、パッドカバーとダストボックスの間を結ぶ配管類を極力無くすか、又は、短くして、集塵効率を高める一方、ダストボックスの取外しを極めて容易と成し、且つ、ダストボックスの存在によって発生する運転操作上の障害を無くして、操作性を向上させることである。
【０００６】
【課題を解決するための手段】
上記の技術的課題を解決するために本発明で講じた手段は以下の通りである。
【０００７】
（１）　前記請求項１に記載の如く、操作ハンドルを押して走行させながらパッドカバー内のパッドをモータで高速回転して床面の艶出しを行い、艶出しによって生じたダスト類を、パッドの回転によって生ずる旋回気流に乗せてパッドカバー内よりダストボックスに送り込んで集塵し、集塵された後の気流を再びパッドカバー内に送り戻すように構成した床面艶出機であって、
上記のダストボックスを、パッドカバー、又は、パッドカバ−を備えた本体カバ−側に対して着脱自在に構成したことを特徴とする。
【０００８】
（２）　前記請求項２に記載の如く、前記のパッドカバーに、パッドの回転によって生じる旋回気流をパッドカバーの外側に向けて排出する旋回気流排出口と、上記のダストボックスで集塵された後の除塵空気を回収する除塵空気導入口を設け、且つ、上記のダストボックスには、上記パッドカバーの旋回気流排出口から排出されて来る旋回気流を受け入れる旋回気流受け入れ口と、ダストボックスで集塵された後の除塵空気をパッドカバー内に送り込む除塵空気送出口を設けて、上記のダストボックスをパッドカバー又は本体カバ−側に装着した際に、上記ダストボックスの旋回気流受け入れ口が上記パッドカバーの旋回気流排出口に連通接続し、上記ダストボックスの除塵空気送出口が上記パッドカバーの除塵空気導入口に連通接続するように構成したことを特徴とする。
【０００９】
（３）　前記請求項３に記載の如く、前記のダストボックスを、断面略円筒状の上部蓋体と下部本体とに分離可能な組立て構造と成し、上記上部蓋体の外周接線部にダスト気流導入筒を連設して、この導入筒の下方に向けて屈曲した先端口を前記の旋回気流受け入れ口と成すと共に、内部をダストの貯留室と成した上記下部本体の中央部に、上下両端部を下部本体の内部と底部の双方に突出開口するパイプ管を縦設して、底部に突出開口したパイプ管の下端口を、前記の除塵空気送出口と成したことを特徴とする。
【００１０】
（４）　前記請求項４に記載の如く、前記ダストボックスを構成する下部本体の内部に、中央に縦設したパイプ管を中心にしてその放射方向に旋回気流減速用の板片を複数枚設けたことを特徴とする。
【００１１】
（５）　前記請求項５に記載の如く、前記ダストボックスの全部又は一部を、内部が透けて見える素材を用いて構成したことを特徴とする。
【００１２】
（６）　前記請求項６に記載の如く、前記パッドカバーを備えた本体カバーの上側部に、前記のダストボックスを嵌込み自在に構成した嵌込室と、前記ダスト気流導入筒の下方に屈曲した旋回気流受け入れ口を嵌込み自在に構成した嵌込部とを凹設して、これ等各嵌込室と嵌込部の各底面部に、先端側を前記パッドカバーの除塵空気導入口に連通接続し、根端側には前記ダストボックスの除塵空気送出口を接続自在に構成した除塵空気接続経路の口と、先端側を前記パッドカバーの旋回気流排出口に連通接続し、根端側には前記ダストボックスの旋回気流受け入れ口を接続自在に構成したダスト気流接続経路の口を開口したことを特徴とする。
【００１３】
前記（１），（２）及び（６）で述べた各手段によれば、ダストボックスをパッドカバー又は本体カバー側に装着することで、パッドカバーとダストボックスの間を結ぶ配管類を極力無くすか、又は、短くして、集塵効率を高める一方、ダストボックスがハンドル部にある場合に比べて機械の操作性が改善され、更に、ダストボックスからダストの引き抜き等を行う場合には、ダストボックスを簡単に着脱できるから、ゴミの取り出しが簡単に行うことを可能にする。
【００１４】
前記（３）で述べた手段によれば、ダストボックスを上部蓋体と下部本体の２分割構成としたので、パッドカバー又は本体カバー側から取外して上部蓋体を外すことにより、集塵したダストの取り出しと廃棄を容易に行うことを可能にする。
【００１５】
前記（４）で述べた手段によれば、ダストボックス内には、旋回気流減速用の板片を設けたから、導入された含塵ダクト空気は旋回して分離するやいなや、直ぐに失速してダストをダストボックス内に落下回収することを可能にする。
【００１６】
前記（５）で述べた手段によれば、ダストボックスの本体外周部に透明な部分を少くとも設けたから、ダストの溜り具合が外部から見え、その取り出しを取扱者に促す効果がある。
【００１７】
【発明の実施の形態】
以下に、上述した本発明に係る集塵機能を備えた床面艶出機の実施の形態を図面と共に説明すると、図１は本発明の側面図、図２はダストボックスを取外して示した本発明の平面図、図３は本発明の要部を拡大して示した一部断面側面図、図４はその平面図であって、これ等の図面に於いて、夫々符号１で全体的に示したのは本発明に係る床面艶出機で、２はメインカバー、２Ｔはフロントカバー、２Ｋはフロントカバー２Ｔの内部に収めたシヤーシ、５はフロントカバー２Ｔの底面に設けたパッドカバー、４はこのパッドカバー５の内部に回転自在に設けたそれ自体通気性を備えた床面艶出し用のパッドであって、メインカバー２の内部に設けたモータ２Ｍの回転軸２Ｓが駆動回転すると、パッド４が連動して高速回転する仕組に成っている。
【００１８】
図３に於いて、３は上記のパッド４をモータ２Ｍの回転軸２Ｓ側に連結して固定するパッドホルダー、３Ｎと４Ｚは同じくパッド固定用のセンターハットと固定ネジを示す。また、各図に於いて２Ａと２Ｂはフロントカバー２Ｔの底面に設けた前輪と後輪、７はメインカバー２の後部上面に突出した固定脚杆６に軸６Ａを用いて角度調節自在に取付けた操作ハンドル、８は操作ボックス、８Ａは操作レバーであって、操作ハンドル７は図１に示すように角度調節用のネジ６Ａを調節することによって、メインカバー２（艶出機本体）に対して角度を自由に調節できる仕組に成っている。
【００１９】
また、図４に於いて５Ｒ′は上記パッド４の高速回転によってパッドカバー５内に生じたダストの旋回気流を、パッドカバー５の外に排出するために、パッドカバー５の外周部に設けた旋回気流排出口、５Ｒは排出されたダスト旋回気流を旋回方向にガイドするガイド用ダクト、５Ｙは根端側をガイド用ダクト５Ｒ側に接続し、先端側を図３に示すように屈曲してメインカバー２内の後部上側に立ち上げたダスト気流排出ダクト（接続ホース）で、５Ｙ′は上向きに開口したダスト気流排出ダクト５Ｙの口に取付けたカフスを示す。
【００２０】
更に図３に於いて、５Ａは後述するダストボックスによって集塵された後の除塵空気をパッドカバー５の内部に取り込むために、パッドカバー５の上面部分に開口した除塵空気導入口で、５Ｘはこの導入口５の部分に上向きに取付けた導入ダクト、５Ｂは上向きに開口した導入ダクト５Ｘの口に取付けたカフスを示す。
【００２１】
上述した各図に於いて、９は前記メインカバー２又はパッドカバー５の後部上面に凹設したダストボックス用の嵌込室、９Ａはこの嵌込室９を凹設したメインカバー２の一側上面に、嵌込室９の一側に連設した状態で、且つ、嵌込室９よりも浅面に凹設した嵌込部であって、嵌込室９の底面部に前記導入ダクト５Ｘの口（具体的にはカフス５Ｂの口）を通うして除塵空気導入口５Ａに通じる挿入孔９Ｘが開口形成され、また、上記嵌込部９Ａの先端側底面部には、前記及びダスト気流排出ダクト５Ｙの口（具体的にはカフス５Ｙ′の口）を通うして旋回気流排出口５Ｒ′に通じる挿入穴９Ｚが開口形成されている。
【００２２】
図５は本発明で用いるダストボックスの一部断面正面図で、図６はこのダストボックスを構成する上部蓋体の底面図、図７は同じくダストボックスを構成する下部本体の平面図であって、これ等の各図面及び前記図１乃至図４に於いて夫々符号１０で全体的に示したダストボックスは、断面略円筒状に形成した上部蓋体１０Ｓ及び下部本体１０Ｔの２分割構成に成っていて、上部蓋体１０Ｓは下部本体１０Ｔの上端口１０Ｃに対して着脱自在に構成されていて、下部本体１０Ｔの内部がダスト貯留室１０Ｈに成っている。
【００２３】
１０ａは上記上部蓋体１０Ｓの嵌込口、１０ｂは上部蓋体１０Ｓの外周接線部に連設したダスト気流導入筒、１０ｂ′は下向きに略直角に屈曲したダスト気流導入筒１０ｂの先端に設けた旋回気流受け入れ口、１０ｄは下部本体１０Ｔの内部中央部に縦設したパイプ管で、このパイプ管１０ｄの上下両端部は、ダスト貯留室１０Ｈの内部と、下部本体１０Ｔの底部の双方に突出開口され、この底部側に突出開口されたパイプ管１０ｄの下端口が、除塵空気送出口１０ｄ′に成っている。
【００２４】
１０ｅ…は上記下部本体１０Ｔの内部に、中央に縦設したパイプ管１０ｄを中心にしてその放射方向に設けた旋回気流減速用の板片で、図面には旋回しながら流入して来るダスト気流の減速と分離を可能にするために、内側縁を略Ｖ字状にカットした計４枚の板片１０ｅ…を等間隔に設ける構成が示されているが、これは実施の一例であって、板片１０ｅの形状と取付枚数は任意とする。
また、上記下部本体１０Ｔの全体又は一部は、貯留室１０Ｈに溜ったダストを外から確認できるように、内部が透けて見える各種プラスチック材等の素材を用いて構成しているが、このプラスチック材の種類も任意とする。
【００２５】
以上の如く構成したダストボックス１０は、下部本体１０Ｔ側が図１並びに図３に示すように前述した嵌込室９内に対して着脱自在（嵌め外し自在）であって、嵌込むと図３に示すようにパイプ管１０ｄの下端口、即ち、除塵空気送出口１０ｄ′が挿入穴９Ｘを通して導入ダクト５Ｘのカフス５Ｂに嵌込まれて、パッドカバー５の除塵空気導入口５Ａに連通接続され、これと同時に、下部本体１０Ｔに取付けた上部蓋体１０Ｓのダスト気流導入筒１０ｂが嵌込部９Ａに嵌込まれ、且つ、その先端口である旋回気流受入れ口１０ｂ′が挿入穴９Ｚを通してダスト気流排出ダクト５Ｙのカフス５Ｙ′に嵌込まれて、パッドカバー５の旋回気流排出口５Ｒ′に連通接続する仕組に成っている。
【００２６】
この様にダストボックス１０を装着して艶出し運転を行うと、モータ２Ｍによって高速回転されるパッド４が床面を磨いて艶出し（バッフィング）を行う一方、この艶出しによって生じた各種のダスト類を、パッド４の回転によってパッドカバー５内に発生した旋回気流に乗せて、パッドカバー５に設けた旋回気流排出口５Ｒ′より、ガイド用ダクト５Ｒ及びダスト気流排出ダクト５Ｙを通してダストボックス１０内に送り込んで、集塵することができる。
【００２７】
以上の如くパッド４の高速回転によって生じる旋回気流は、遠心力によって通気性を持たせたパッド４の内部を通ってその先端部から放出され、パッドカバー５の内周面に沿って強力な旋回気流を生じせしめる一方、パッド４の内部及びその底面との空間部分に生じた真空作用により、外気をパッドホルダー３に設けた各通気穴（図示省略）からパッド４の内部に順次取り入れることができ、更に、上記のダストボックス１０でダスト類を遠心分離した後の除塵空気（清浄空気）も、パイプ管１０ｄの除塵空気送出口１０ｄ′より除塵空気導入口５Ａを通してパッドカバー５内に導入できるため、パッドカバー５内により強力な旋回気流を発生させて、艶出しによって発生したダスト類をこの強力な旋回気流に乗せてダストボックス１０側に集塵させることができる。
【００２８】
更に本発明では、上記のダストボックス１０の遠心分離作用では完全に捕集しきれなかった微細なダスト類を、再び除塵空気導入口５Ａを通してパッドカバー５に送り戻して循環させるため、この繰返しによって捕集しきれなかった微細なダスト類を粗大化させて、上記ダストボックス１０の遠心分離による捕集を可能にすることができると共に、ダストボックス１０に集塵したダスト類は、図３に示すようにダストボックス１０を嵌込室９から取外して上部蓋体１０Ｓを外すことによって、これをワンタッチにて極めて簡単に廃棄処理することができる。
【００２９】
【発明の効果】
本発明に係る集塵機能を備えた床面艶出機は以上述べた如くであって、パッドの回転によってパッドホルダー内部に発生する旋回気流により、パッドカバー内のダスト類を速やかにダストボックスに送り込んで分離捕集することができるのであるが、本発明では特に、ダストボックスをパッドカバー又はパッドカバーを備えた本体カバーに対して着脱自在に構成したため、パッドカバーとダストボックスの間を結ぶ配管類を極力無くすか、又は、短くして、集塵効率を高めることができると共に、床面艶出機の構成を簡略化できるものであって、操作ハンドルの操作性を向上できる点と相俟って、取扱い操作が簡単で優れた艶出し効果を発揮できる床面艶出機を提供することができる。
【図面の簡単な説明】
【図１】本発明に係る集塵機能を備えた床面艶出機の側面図である。
【図２】ダストボックス外して示した同じく本発明に係る集塵機能を備えた床面艶出機の平面図である。
【図３】同じく本発明に係る集塵機能を備えた床面艶出機の要部を拡大して示した一部断面側面図である。
【図４】同じく本発明に係る集塵機能を備えた床面艶出機の要部を拡大して示した平面図である。
【図５】本発明で用いるダストボックスの一部断面側面図である。
【図６】ダストボックスを構成する上部蓋体の底面図である。
【図７】ダストボックスを構成する下部本体の平面図である。
【符号の説明】
１　　　　　　　床面艶出機
２　　　　　　　メインカバー
２Ｔ　　　　　　フロントカバー
４　　　　　　　パッド
５　　　　　　　パッドカバー
５Ｒ′　　　　　旋回気流排出口
５Ａ　　　　　　除塵空気導入口
９　　　　　　　嵌込室
９Ａ　　　　　　嵌込部
１０　　　　　　ダストボックス
１０Ｓ　　　　　上部蓋体
１０Ｔ　　　　　下部本体
１０ｂ　　　　　ダスト気流導入筒
１０ｂ′　　　　旋回気流受け入れ口
１０ｄ　　　　　パイプ管
１０ｄ′　　　　除塵空気送出口
１０ｅ　　　　　板片
１０Ｈ　　　　　ダスト貯留室
【図１】
2004113263.tif 000003
【図２】
2004113263.tif 000004
【図３】
2004113263.tif 000005
【図４】
2004113263.tif 000006
【図５】
2004113263.tif 000007
【図６】
2004113263.tif 000008
【図７】
2004113263.tif 000009